(57)【要約】【課題】扇風機に対して、容易かつバランス良く取り付けることができるとともに、ペットボトルに付着した水滴をまき散らすことなく、所定の冷風が効率的に生成可能な冷却キットおよびそのような冷却キットを備えた扇風機を提供する。【解決手段】冷却キットおよびそのような冷却キットを備えた扇風機であって、内容物を収容した状態で冷却させた複数のペットボトルを冷却材として用いるとともに、その複数のペットボトルを収容する複数のホルダーを所定の連結部材を用いて連結し、扇風機に対して、複数のペットボトル等を左右に振り分けて配置する。【選択図】図１
2013011237.tif 000002
【特許請求の範囲】
【請求項１】
内容物を収容した状態で冷却させた複数のペットボトルを冷却材として用い、それらと接触させて空気流を冷却するための冷却キットであって、
前記複数のペットボトルをそれぞれ収容するための第１のホルダーおよび第２のホルダーと、
前記第１のホルダーおよび第２のホルダーを連結する長尺状またはアーチ状の連結部材と、
を備えることを特徴とする冷却キット。
【請求項２】
前記連結部材の表面に、滑り止め部材が設けてあることを特徴とする請求項１に記載の冷却キット。
【請求項３】
前記連結部材に対して、前記第１のホルダーおよび第２のホルダーが、脱着可能に取り付けてあることを特徴とする請求項１または２に記載の冷却キット。
【請求項４】
前記連結部材に角度調整部材が設けてあって、前記第１のホルダーおよび連結部材の中心点を結ぶ仮想直線１と、前記第２のホルダーおよび連結部材の中心点とを結ぶ仮想直線２と、がなす角度を可変とすることを特徴とする請求項１〜３のいずれか一項に記載の冷却キット。
【請求項５】
前記第１のホルダーおよび第２のホルダーの底面に、水滴吸収部材が設けてあることを特徴とする請求項１〜４のいずれか一項に記載の冷却キット。
【請求項６】
前記第１のホルダーおよび第２のホルダーの周囲に、前記空気流の整流板が設けてあることを特徴とする請求項１〜５のいずれか一項に記載の冷却キット。
【請求項７】
前記第１のホルダーおよび第２のホルダーが、カップ状保持部、リング状保持部、Ｕ字状保持部、レール状保持部の少なくとも一つを有していることを特徴とする請求項１〜６のいずれか一項に記載の冷却キット。
【請求項８】
内容物を収容した状態で冷却させた複数のペットボトルを冷却材として用い、それらと接触させて空気流を冷却するための請求項１〜７のいずれか一項に記載の冷却キットを備えた扇風機であって、
前記扇風機が、背面側に、駆動用モータを有しており、
前記冷却キットが、複数のペットボトルをそれぞれ収容するための第１のホルダーおよび第２のホルダーと、前記第１のホルダーおよび第２のホルダーを連結する長尺状またはアーチ状の連結部材と、を備えており、
かつ、
前記連結部材を介して、前記複数のペットボトルを左右に振り分けて、前記駆動用モータに係止することを特徴とする冷却キットを備えた扇風機。
【発明の詳細な説明】
【技術分野】
【０００１】
本発明は、冷却キットおよび冷却キットを備えた冷風機。特に、内容物を収容した状態で冷却させた複数のペットボトルを冷却材として用いた冷却キットおよびそのような冷却キットを備えた冷風機に関する。
【背景技術】
【０００２】
従来、飲料用ボトルに水を入れて凍らせ、これを保持手段で保持して固定手段により扇風機に固定することで、送風を冷却する扇風機用送風冷却器が提案されている（例えば、特許文献１参照）。
より具体的には、図９に示すように、棒状体もしくは線状体を組み合わせ、水を入れて凍らせた飲料用ボトルを保持するためのボトル保持手段１１０と、当該ボトル保持手段１１０を扇風機の前面または背面に固定する固定手段１２０と、水滴を貯める受け皿１３０と、を備えた扇風機用送風冷却器（Ｘ）である。
そして、固定手段１２０は、２本の上部固定部１２１および１本の下部固定部１２２から構成されており、これらの上部固定部１２１の先端部には、フック１２１ａが、下部固定部１２２の先端部には、フック１２２ａがそれぞれ設けてある。したがって、フック１２１ａ、１２２ａを、扇風機の網状のカバーに引っ掛けることによって、ボトル保持手段１１０を固定することが可能である。
【０００３】
また、扇風機による体感温度の低下のみならず、さらなる冷却効果を付与すべく、扇風機の送風を冷却するための冷袋入れ付き扇風機が提案されている（例えば、特許文献２参照）。
より具体的には、図１０に示すように、棒状体もしくは線状体を組み合わせた冷袋入れ２０４と、当該冷袋入れ２０４を、扇風機２０１の前面に固定するための固定具２０２およびねじ２０３と、を備えた冷袋入れ２０４付きの扇風機２０１である。
【先行技術文献】
【特許文献】
【０００４】
【特許文献１】特開２００６−７０８１２号公報（特許請求の範囲等）
【特許文献２】実開昭５８−１６９１９８号公報（特許請求の範囲等）
【発明の開示】
【発明が解決しようとする課題】
【０００５】
しかしながら、特許文献１に開示された扇風機用送風冷却器は、冷却された飲料用ボトルを扇風機の前面に取り付けた場合には、扇風機における前後のバランスがくずれて、扇風機を回転等させた場合に、転倒しやすいという問題が見られた。
また、水滴を貯める受け皿が設けてあるものの、飲料用ボトルの周囲壁に生成した水滴が、当該受け皿に収容される前に、扇風機の送風に乗ってしまい、周囲に飛散しやすいというという問題が見られた。
さらに、冷却された飲料用ボトルを扇風機の背面に取り付ける場合には、扇風機の駆動用モータが背面側に設けてあることから、取り付け位置が制限されるとともに、扇風機における前後左右のバランスがくずれて、扇風機が転倒しやすいという問題が見られた。
【０００６】
一方、特許文献２に開示された冷袋入れ付き扇風機は、所定の冷袋入れを、扇風機の前面に設ける必要があることから、前後のバランスがくずれて、扇風機を回転等させた場合に、転倒しやすかったり、冷袋入れの周囲に生成した水滴が、扇風機の送風によって、周囲に飛散しやすいという問題が見られた。
【０００７】
そこで、本発明の発明者は、鋭意研究した結果、内容物を収容した状態で冷却（凍結も含む）させた複数のペットボトル（ポリエステル樹脂製飲料用ボトル等）を冷却材として用いるとともに、そのペットボトルを収容する複数のホルダーを所定の連結部材を用いて、扇風機の駆動用モータに対して左右に振り分けて配置することによって、容易かつバランス良く取り付けることができるとともに、水滴をまき散らすことなく、所定の冷風が効率的に得られることを見出し、本発明を完成させたものである。
すなわち、本発明は、駆動用モータが、扇風機の背面側に設けてある場合であっても、容易かつバランス良く取り付けることができるとともに、水滴をまき散らすことなく、所定の冷風が長時間にわたって、かつ効率的に得られる冷却キット、およびそのような冷却キットを備えた扇風機を提供することを目的とする。
【課題を解決するための手段】
【０００８】
本発明によれば、内容物を収容した状態で冷却させた複数のペットボトルを冷却材として用い、それらと接触させて所定の空気流を冷却するための冷却キットであって、複数のペットボトルをそれぞれ収容するための第１のホルダーおよび第２のホルダーと、第１のホルダーおよび第２のホルダーを連結する長尺状またはアーチ状の連結部材と、を備えることを特徴とする冷却キットである。
すなわち、本発明の冷却キットによれば、扇風機等において、駆動用モータ（あるいは、駆動用モータの筐体の場合もある。以下、同様である。）が背面側に設けてある場合であっても、所定の連結部材を用いて、左右に振り分けて配置することできる。
したがって、駆動用モータの上部または周囲等に、容易かつバランス良く取り付けることができるとともに、水滴をまき散らすことなく、所定の冷風を得ることが可能である。
その上、複数のペットボトルを収容するホルダーが、所定の連結部材を介して、左右に配置してあることから、安定感やバランス感に優れており、そのまま平坦部に配置して、周囲を冷却する冷却材として用いることもできるし、さらには、壁や、柱、天井等に垂下して、吊り下げタイプの冷却材として用いることもできる。
【０００９】
また、本発明の冷却キットを構成するにあたり、連結部材の表面に、滑り止め部材が設けてあることが好ましい。
このように構成することによって、扇風機を回転等させた場合であっても、駆動用モータの上部または周囲等において、複数のペットボトル等を左右に振り分けてなる連結部材の位置ずれが少なくなり、長時間にわたって安定的に冷風を得ることができる。
【００１０】
また、本発明の冷却キットを構成するにあたり、連結部材に対して、第１のホルダーおよび第２のホルダーが、脱着可能に取り付けてあることが好ましい。
このように構成することによって、第１のホルダーおよび第２のホルダーに水滴等がたまった場合に、これらのホルダーを、連結部材から外して、水滴等のみを容易に廃棄することができる。
【００１１】
また、本発明の冷却キットを構成するにあたり、連結部材に角度調整部材が設けてあって、第１のホルダーおよび連結部材の中心点を結ぶ仮想直線１と、第２のホルダーおよび連結部材の中心点とを結ぶ仮想直線２と、がなす角度を可変とすることが好ましい。
このように構成することによって、扇風機の駆動用モータの大きさや形状等が異なる各種扇風機に対しても容易に適用することができる。
【００１２】
また、本発明の冷却キットを構成するにあたり、第１のホルダーおよび第２のホルダーの底面に、水滴吸収部材が設けてあることが好ましい。
このように構成することによって、複数のペットボトル等の周囲に相当量の水滴が付着した場合であっても、水滴吸収部材が吸収してしまうことから、かかる水滴に起因した腐食等の悪影響を排除することができる。
【００１３】
また、本発明の冷却キットを構成するにあたり、第１のホルダーおよび第２のホルダーの周囲に、空気流の整流板が設けてあることが好ましい。
このように構成することによって、比較的少ない空気流であっても、有効に利用して、長時間にわたって安定的に冷風を得ることができる。
【００１４】
また、本発明の冷却キットを構成するにあたり、第１のホルダーおよび第２のホルダーが、カップ状保持部、リング状保持部、Ｕ字状保持部、レール状保持部の少なくとも一つを有していることが好ましい。
このように構成することによって、複数のペットボトル等の保持や交換が極めて容易になる。
【００１５】
また、本発明の別の態様は、内容物を収容した状態で冷却させた複数のペットボトルを冷却材として用い、それらと接触させて空気流を冷却するための上述したいずれかの冷却キットを備えた扇風機であって、扇風機が、背面側に、駆動用モータを有しており、冷却キットが、複数のペットボトルをそれぞれ収容するための第１のホルダーおよび第２のホルダーと、第１のホルダーおよび第２のホルダーを連結する長尺状またはアーチ状の連結部材と、を備えており、かつ、連結部材を介して、複数のペットボトルを左右に振り分けて、駆動用モータに係止することを特徴とする冷却キットを備えた扇風機である。
すなわち、本発明の冷却キットを備えた扇風機によれば、所定の連結部材を用いて、扇風機の背面側に設けてある駆動用モータの上部または周囲に、複数のペットボトルを、左右に振り分けて配置することできる。
その結果、複数のペットボトルを含む冷却キットを、容易かつバランス良く取り付けることができるとともに、水滴をまき散らすことなく、所定の冷風を効率的に生成することが可能である。
【図面の簡単な説明】
【００１６】
【図１】図１（ａ）は、本発明の冷却キット(複数のペットボトルを配置する前)を説明するために供する図であり、図１（ｂ）は、本発明の冷却キット(複数のペットボトルを配置した後)を説明するために供する図である。
【図２】図２は、冷却キットを備えた扇風機の態様を説明するために供する図である。
【図３】図３（ａ）〜（ｄ）は、それぞれ冷却キットにおけるホルダーの態様を説明するために供する図である。
【図４】図４（ａ）〜（ｂ）は、それぞれ水滴吸収部材の配置場所を説明するために供する図である。
【図５】図５（ａ）〜（ｃ）は、それぞれ連結部材における角度調整部材（一部、長尺部材の変形例を含む）の態様を説明するために供する図である。
【図６】図６（ａ）〜（ｃ）は、それぞれ連結部材における滑り止め部材の態様を説明するために供する図である。
【図７】図７（ａ）〜（ｂ）は、それぞれ空気流の整流板の態様を説明するために供する図である。
【図８】図８（ａ）〜（ｂ）は、それぞれ扇風機の態様を説明するために供する図である。
【図９】図９は、従来の扇風機用送風冷却器を説明するために供する図である。
【図１０】図１０は、従来の冷袋入れ付き扇風機を説明するために供する図である。
【発明を実施するための最良の形態】
【００１７】
［第１の実施形態］
第１の実施形態は、図１（ａ）〜（ｂ）に例示するように、内容物を収容した状態で冷却させた複数のペットボトル２０を冷却材として用い、それらと接触させて空気流を冷却するための冷却キット１０であって、複数のペットボトル２０をそれぞれ収容するための第１のホルダー１２ａおよび第２のホルダー１２ｂと、第１のホルダー１２ａおよび第２のホルダー１２ｂを連結する長尺状またはアーチ状の連結部材１４と、を備えることを特徴とする冷却キット１０である。
【００１８】
すなわち、このように冷却キット１０を構成することによって、図２に示すように、扇風機８０において、駆動用モータ８３が背面側に設けてある場合であっても、連結部材１４を介して、複数のペットボトル２０を左右に振り分け、駆動用モータ８３の上部または周囲に、容易かつバランス良く取り付けることができる。
したがって、例えば、扇風機８０を稼動して、背面側から空気を吸い込む際に、冷却材としての複数のペットボトル２０に、空気流を面接触させて、安定的に、冷気を生成することができる。
より具体的には、内容物である水道水を凍結させた状態の５００ｃｍ3のペットボトル２０を２本準備し、冷却材として配置した状態で扇風機８０を稼動したところ、扇風機８０の前面側と、背面側との温度差が２〜３℃になることを確認した。
よって、第１の実施形態の冷却キット１０であれば、扇風機８０において背面側から前面側に向かって流れる空気流を有効利用し、より温度の低い冷風を、安定的に得られることが判明した。
【００１９】
また、第１の実施形態の冷却キット１０によれば、複数のペットボトル２０の周囲において、周囲の空気が冷却され、空気中の水蒸気が凝結（結露）して、水滴が付着する場合があるが、複数のペットボトル２０が、扇風機８０の背面側に配置してあるとともに、接触する風量が比較的少ないことから、そのような水滴を周囲に巻き散らすこともないことが判明した。
【００２０】
さらに、第１の実施形態の冷却キット１０によれば、複数のペットボトル２０を収容するホルダー１２（１２ａ、１２ｂ）が、所定の連結部材１４を介して、左右に配置してあることから、安定感やバランス感に優れており、そのまま平坦部に配置して、周囲を冷却する冷却材として用いることもできるし、さらには、窓際、壁、柱、天井等に垂下して、吊り下げタイプの冷却材として用いることもできる。
以下、適宜図面を参照しながら、第１の実施形態の冷却キット１０について、具体的に説明する。
【００２１】
１．冷却材
（１）基本的構成
冷却材として、図１（ｂ）に示すように、内容物を収容した状態で冷却させた複数のペットボトル２０を用いることを特徴とする。
すなわち、ポリエステル樹脂製飲料用ボトル等のペットボトルであれば、身近にある商品であって、極めて容易に手に入るとともに、キャップの大きさを含めて、ペットボトルの容積（３５０、５００、１０００ｃｍ3等）や縦長等が規格化されていることから、後述するホルダーとの関係でも統一的に扱うことができることから好適である。
また、ペットボトルのリサイクル率は相当進んでいるものの、未だ不十分であって、このようなペットボトルを冷却材として使用するのであれば、さらにリユースのアップに寄与することができることから、好適である。
【００２２】
さらに、ペットボトルとして、飲料用ボトル以外の各種プラスチックボトル、例えば、化粧品用ペットボトル、薬品用ペットボトル、食品用ペットボトル等であっても、内容物を入れた状態で冷却し、それを冷却材として用いた場合に、所定の冷却効果を発揮できるプラスチックボトルであれば、使用可能である。
そして、容積５００ｃｍ3の飲料用ペットボトルであれば、内容物（水やジュース等）を完全充填した状態において、凍結状態から液体状態に戻るまでに４〜５時間程度要することから、長時間にわたって、冷却効果を発揮できるとともに、内容物を含んだ重量としても５００ｇ／本程度であって、全体として軽量化に資することから、最適な冷却材である。
但し、本発明の場合、冷却剤として、上述したように、所定温度に冷却した複数のペットボトルを用いることを想定しているが、それ以外の液状、固体状、あるいはゲル状の保冷剤との併用も可能である。
【００２３】
（２）内容物
また、ペットボトルに収容する内容物の種類については特に制限されるものではないが、例えば、水、アルコール（グリコール化合物を含む）、界面活性剤、シリコーン化合物、および油類の一種単独、あるいは、二種以上の混合物であることが好ましい。
より具体的には、純水、イオン交換水、蒸留水、水道水、抗菌剤入り水、砂糖水、塩水、アルギン酸ソーダ溶解水、メタノール、エタノール、イソプロピルアルコール、エチレングリコール、プロピレングリコール、グリセリン、陰イオン界面活性剤、陽イオン界面活性剤、両性界面活性剤、オキシアルキレンジメチルシリコーン化合物、変性シリコーンオイル、食用油、酢等の一種単独または二種以上の組み合わせが挙げられる。
【００２４】
また、ペットボトルに収容する内容物に関して、それが着色してあることが好ましい。
この理由は、内容物が着色してあれば、内容物の状態、すなわち、液体状態であるのか、凍結状態であるのか、あるいは、その中間状態であるのか、目視で容易に判断することができるためである。
また、着色剤を配合した場合、凝固点降下等が発揮され、内容物の凝固点を調節することができ、ひいては、内容物の冷却状態や、使用可能な時間についても、調節することができる。
したがって、着色剤の種類等にもよるが、通常、水を溶媒として、水１００重量部に対して、着色剤の配合量を０．００１〜２０重量部の範囲内の値とすることが好ましく、０．０１〜１０重量部の範囲内の値とすることがより好ましく、０．１〜５重量部の範囲内の値とすることがさらに好ましい。
【００２５】
さらに、ペットボトルに収容する内容物に関して、主成分を水等とするとともに、所定量の抗菌剤を配合してあることが好ましい。
この理由は、ペットボトルの冷却および冷却使用を繰り返すと、ペットボトルの内部で、細菌等が活性化して、水等内容物が腐敗する場合があるためである。
したがって、後述する抗菌剤、特に、抗菌ガラスを、内容物の全体量に対して、０．０１〜１０重量％の範囲となるように、配合し、細菌等の活性化を抑制することが好ましい。
【００２６】
（３）内容物の冷却温度
また、冷却材としてのペットボトルの内容物の冷却温度を、例えば、−２０〜２０℃の範囲内の値とすることが好ましい。
この理由は、ペットボトルの内容物の温度が−２０℃未満の値になると、ペットボトル自体の耐久性や機械的強度が著しく低下したり、使用可能な内容物の種類が、過度に制限されたりする場合があるためである。
一方、ペットボトルの内容物の温度が２０℃を超えると、扇風機において背面側から前面側に向かって流れる空気流の冷却効果が著しく低下する場合があるためである。
したがって、冷却材としてのペットボトルの内容物の冷却温度を−１０〜１５℃の範囲内の値とすることがより好ましく、０〜１０℃の範囲内の値とすることがさらに好ましい。
【００２７】
２．ホルダー
（１）基本的構成
また、ホルダー１２として、図１に示すように、複数のペットボトル２０をそれぞれ収容するための第１のホルダー１２ａおよび第２のホルダー１２ｂを備えることを特徴とする。
すなわち、このような複数のホルダー１２を備えることによって、冷却材としての複数のペットボトル２０を安定的に保持することができ、長期間にわたって、所定の冷風を生成することができる。
【００２８】
（２）各種態様
また、ホルダー１２としての第１のホルダー１２ａおよび第２のホルダー１２ｂの態様は特に制限されるものではないが、例えば、図３（ａ）に示すようなカップ状保持部１２ａ（１２ｂ）、図３（ｂ）に示すようなリング状保持部１２ｄ、図３（ｃ）に示すようなＵ字状保持部１２ｅ、図３（ｄ）に示すようなレール状保持部１２ｆの少なくとも一つを有していることが好ましい。
この理由は、このような保持部の構成とすることによって、複数のペットボトル等の安定的保持や交換が極めて容易になるためである。
【００２９】
例えば、図３（ａ）に示すようなカップ状保持部１２ａ（１２ｂ）とすることによって、ペットボトルの周囲を覆った状態で保持することができ、相当重量のペットボトルであっても、安定的に保持することができる。
そして、かかるカップ状保持部１２ａ（１２ｂ）の場合、周囲壁が、背の高さが高い壁１２ｃと、背の高さが低い壁１２ｃ´とから構成されているとともに、これらの高い壁１２ｃと、低い壁１２ｃ´と間に、Ｕ字状のくぼみ１２ｃ´´が設けてある。
したがって、ペットボトル２０の挿入や取り出しが容易になるとともに、ペットボトル２０における内容物の視認性も良好となる。
その上、背の高さが低い壁１２ｃ´は、鉛直方向に、複数ののぞき窓１２ｃ´´´が設けてあって、ペットボトル２０における内容物の視認性がさらに良好なものとなる。
【００３０】
また、図３（ｂ）に示すように、金属製連結部材１２ｄ´´を介して、ベルト状の長尺物１２ｄ´´´に連なるリング状保持部１２ｄを設けることによって、ペットボトル２０の首部と容易に係合することから、ホルダー１２を簡易な構成とすることができるとともに、ペットボトル２０の脱着も容易になる。
すなわち、かかるリング状保持部１２ｄの場合、ゴム製リング１２ｄ´と、金属製連結部材１２ｄ´´と、長尺バンド１２ｄ´´´と、から基本的に構成されており、ホルダーの構成が簡易になるとともに、ゴム製リング１２ｄ´に、ペットボトルの首部を一方向から挿入するだけで容易に係合することから、ペットボトル２０の脱着についても良好となる。
その上、かかるリング状保持部１２ｄにペットボトル２０を装着した場合、ペットボトル２０の全体がほぼ露出することから、内容物の視認性についても良好となる。
【００３１】
また、図３（ｃ）に示すように、ベルト状の長尺物１２ｅ´´´に連なるＵ字状保持部１２ｅを設けることによって、ペットボトル２０の首部を一方向からスライドインさせるだけで容易に係合させることができる。
したがって、ホルダー１２を全体的に平板状の簡易構成とすることができるとともに、ペットボトル２０の脱着もさらに容易になる。
すなわち、かかるＵ字状保持部１２ｅの場合、金属製Ｕ字状部材１２ｅ´と、それに続く長尺バンド１２ｅ´´´と、から基本的に構成されており、ホルダー１２の構成が簡易になるとともに、Ｕ字状部材１２ｅ´に、ペットボトル２０の首部を一方向から挿入するだけで容易に係合することから、ペットボトル２０の脱着についても良好となる。
その上、かかるＵ字状保持部１２ｅの金属製Ｕ字状部材１２ｅ´にペットボトル２０を装着した場合、ペットボトル２０の全体がほぼ露出することから、内容物の視認性についても良好となる。
なお、Ｕ字状保持部１２ｅの一部に、ペットボトル２０を容易にスライドインさせるために、切り欠け１２ｅ´´を有するとともに、切り欠け幅が、他の箇所よりも若干狭くなっていることから、ペットボトル２０が安易にはずれることはない。
【００３２】
さらに、図３（ｄ）に示すように、ベルト状の長尺物１２ｆ´´´に連なるレール状保持部１２ｆを設けることによって、平行する金属製レール１２ｆ´の間に、ペットボトル２０の首部を一方向からスライドインさせるだけで容易に係合することができる。
したがって、ホルダー１２を簡易な構成とすることができるとともに、ペットボトル２０の脱着や位置移動もさらに容易になる。
なお、レール状保持部１２ｆの端部に、ストッパー１２ｆ´´が設けてあることから、かかるストッパー１２ｆ´´を外すことによって、容易にスライドインさせることができる一方、ストッパー１２ｆ´´を装着することによって、ペットボトル２０が安易にはずれることはない、
【００３３】
（３）脱着性
また、ホルダー１２（第１のホルダー１２ａおよび第２のホルダー１２ｂ）が、図１（ａ）〜（ｂ）に示すように、連結部材１４に対して、脱着可能に取り付けてあることが好ましい。
この理由は、このように脱着可能に構成することによって、ホルダー１２（第１のホルダー１２ａおよび第２のホルダー１２ｂ）に水滴等がたまった場合に、これらのホルダー１２を、連結部材１４から外して、水滴等のみを容易に廃棄することができるためである。
また、このように脱着可能に構成することによって、ペットボトル２０と、ホルダー１２（第１のホルダー１２ａおよび第２のホルダー１２ｂ）を一緒に移動等することが可能となり、使い勝手がさらに良好なものとなる。
【００３４】
なお、図１（ａ）〜（ｂ）に示すホルダー１２（第１のホルダー１２ａおよび第２のホルダー１２ｂ）の場合、連結部材１４の先端部に、コの字状の折り曲げ部１４ｃ、１４ｄが設けてあり、そこにホルダー１２を載置して、安定的なホルダー１２の保持が可能になるとともに、脱着可能としてある。
そして、さらには、ホルダー１２の下方位置において、ペットボトル２０の落下防止のためのワイヤ部材１４ｅがさらに設けてある。
【００３５】
（４）水滴吸収部材
また、図４（ａ）に示すように、ホルダー１２（第１のホルダー１２ａおよび第２のホルダー１２ｂ）の底面、あるいは、図４（ｂ）に示すように、ホルダー１２側面に、それぞれ水滴吸収部材２２が設けてあることが好ましい。
この理由は、かかる水滴吸収部材を所定場所に設けることによって、複数のペットボトル等の周囲に水滴が付着した場合であっても、かかる水滴が落下したり、扇風機の電気系統に対する悪影響を排除したりすることができるためである。
【００３６】
したがって、かかる水滴吸収部材の構成材料として、ポリアクリル酸ポリマー、ポリ尿素ポリマー、ポリビニルアルコールポリマー、ポリ酢酸ビニルポリマー、ポリアセタールポリマー、シリコーンポリマー、ポリ酢酸セルロースポリマー（コットン）、炭（竹炭含む）、活性炭、ゼオライト、抗菌性ガラス、およびこれらの架橋物の少なくとも一種の高分子材料、炭素材料、あるいは無機材料からなる態様とすることができる。
より具体的には、これらの構成材料から、所定形状の水滴吸収部材等を成形した後、それをホルダーの底面や側面に、配置するものである。
【００３７】
そして、水滴吸収部材の態様についても、特に制限されるものではないが、通常、プレ−ト状、フィルム状、テープ状、繊維状、不織布状、棒状、粒子状等のいずれか一つとすることが好ましい。
したがって、水滴吸収部材が、例えば、繊維状や不織布状であれば、一旦吸収した水滴（水分）であっても、再び均一に蒸発することから、その蒸発エンタルピーを利用して、さらに低温化した冷気を生成することができる。
【００３８】
（５）抗菌性材料
また、ホルダー１２（第１のホルダー１２ａおよび第２のホルダー１２ｂ）を、抗菌性材料入りの高分子材料またはセラミック材料から構成してあることが好ましい。
この理由は、このような抗菌性材料入り高分子材料等から構成してあることによって、ホルダー１２における細菌やカビの発生を抑制することができるためである。
すなわち、ホルダー１２の内部に、水滴が溜まって、それに細菌やカビが発生する場合があるが、抗菌性材料入り高分子材料等から構成してあることによって、そのような細菌やカビの発生を抑制することができる。
【００３９】
ここで、抗菌性材料の種類は特に制限されるものではないが、例えば、抗菌性ガラス、抗菌性ゼオライト、抗菌性有機材料等の一種単独または二種以上の組み合わせが挙げられる。
より具体的には、抗菌性ガラスとして、リン酸系ガラスやホウ酸系ガラス等が使用できるが、例えば、Ａｇ2Ｏ、ＺｎＯ、ＣａＯ、Ｂ2Ｏ3およびＰ2Ｏ5を含み、かつ、全体量を１００重量％としたときに、Ａｇ2Ｏの配合量を０．２〜５重量％の範囲内の値、ＺｎＯの配合量を２〜６０重量％の範囲内の値、ＣａＯの配合量を０．１〜１５重量％の範囲内の値、Ｂ2Ｏ3の配合量を０．１〜１５重量％の範囲内の値、およびＰ2Ｏ5の配合量を３０〜８０重量％の範囲内の値とすることが好ましい。
【００４０】
また、抗菌性ゼオライトとして、三次元骨格構造を有するアルノシリケートであり、一般式としてｘＭ2/nＯ・Ａｌ2Ｏ3・ｙＳｉＯ2・ｚＨ2Ｏで表示される化合物である。ここで、Ｍはイオン交換可能なｎ価の金属イオン、例えば、Ａｇイオンを表し、通常は１又は２価の金属のイオンである。ｘは金属酸化物のモル数、ｙはシリカのモル数、ｚは結晶水のモル数を表示している。すなわち、抗菌性材料として、このような一般式で表わされる抗菌性ゼオライトを使用することが好ましい。
【００４１】
さらに、抗菌性有機材料として、サルファ剤、オキソリン酸、マクロライド剤、テトラサイクリン剤、クロラムフェニコール剤、葉酸代謝剤、拮抗薬、リンコマイシン剤、チアムリン剤、β-ラクタム（ペニシリン・セフェム）剤、アミノグリコシド剤、キノロン剤、フルオロキノロン剤、ホスホマイシン剤、コリスチン剤、ビコザマイシン剤等の少なくとも一種を使用することが好ましい。
【００４２】
３．連結部材
（１）基本的構成
また、図１（ａ）〜（ｂ）あるいは図５（ｃ）に示すように、連結部材の基本的構成として、第１のホルダー１２ａおよび第２のホルダー１２ｂを連結する長尺状またはアーチ状の連結部材１４を備えることを特徴とする。
すなわち、このような連結部材１４を備えることによって、図２に示すように、複数のペットボトル２０を左右に振り分けて、扇風機の駆動用モータ８３の上部または周囲に、容易かつバランス良く取り付けることができる。
より具体的には、長尺状の連結部材１６、例えば、図５（ｃ）に示すような所定幅のベルトや、所定直径のひもを備えることによって、扇風機の駆動用モータの大きさや形状等の相違にかかわらず、複数のペットボトルを左右に振り分けて、駆動用モータの上部または周囲に、容易かつバランス良く取り付けることができる。
【００４３】
また、図１（ａ）〜（ｂ）あるいは図５（ａ）〜（ｂ）に示すようなアーチ状の連結部材１４、例えば、側方から眺めた場合に、下側から上側に向かって突状の円弧状あるいは楕円弧状、さらにはそれらに近似した形状（例えば、コノ字状等）となる連結部材１４を備えることによって、複数のペットボトル２０の保持性が向上する。
そればかりか、かかる連結部材１４を備えることによって、図２に示すように、扇風機の駆動用モータ８３の大きさや形状等の多少の相違にかかわらず、複数のペットボトル２０を左右に振り分けて、駆動用モータ８３の上部または周囲に、容易かつバランス良く取り付けることができる。
【００４４】
（２）滑り止め部材
また、図１（ａ）〜（ｂ）に示すように、連結部材１４の表面に、滑り止め部材（クッション効果を発揮するクッション部材も含む。）１８が設けてあることが好ましい。
この理由は、このように所定箇所に滑り止め部材１８を設けることによって、扇風機８０を回転させながら駆動させた場合であっても、連結部材１４の位置ずれが少なくなるためである。
すなわち、所定場所に、滑り止め部材１８を設けることによって、扇風機の駆動用モータ８３の上部または周囲等において、複数のペットボトル２０を左右に振り分ける連結部材１４の位置ずれが少なくなり、長時間にわたって安定的に冷風を得ることができる。
そしてまた、滑り止め部材１８は、所定のクッション効果も発揮できることから、連結部材１４を、駆動用モータ８３の上部または周囲に、より隙間なく密着させるという効果も発揮することができる。
【００４５】
ここで、滑り止め部材１８の態様としては、例えば、図６（ａ）に示すように連結部材の表面に設けた凹凸模様１８ａ、図６（ｂ）に示すようなすべり止めテープ１８ｂ、図６（ｃ）に示すような接着剤層（粘着剤層を含む）１８ｃとすることができる。
すなわち、図６（ａ）に示すように、滑り止め部材１８として、連結部材１４の表面に凹凸模様１８ａを設けることによって、必要箇所のみにおいて、滑り止め効果を発揮させることができ、経済的である。
【００４６】
また、図６（ｂ）に示すように、滑り止め部材１８として、連結部材１４の表面に、すべり止めテープ１８ｂを設けることによって、大面積において、すべり止め効果を発揮することができるとともに、形成自体も容易である。
さらにまた、図６（ｃ）に示すように、滑り止め部材１８として、連結部材１４の表面に、接着剤層１８ｃを設けることによって、適度な接着力が得られ、連結部材１４の事実上の位置移動を抑制することができる。
【００４７】
なお、内容物である水道水を凍結させた状態の５００ｃｍ3のペットボトルを２本準備し、それを図２に示すように、裏面に滑り止め部材１８が設けてある連結部材１４で連結し、冷却材として配置した後、扇風機８０を、約４時間、回転させながら駆動したところ、冷却キット１０がずれ落ちることがなかった。
そして、扇風機の前面側において、温度の低い冷風（扇風機の前面側と、背面側の温度差が２〜３℃）が、安定的に得られた。
すなわち、滑り止め部材が所定箇所に設けてある連結部材を用いることによって、冷却キットの配置位置が事実上固定され、背面側から前面に向かって流れる空気流を有効利用し、より温度の低い冷風を、安定的に得られることが判明した。
【００４８】
（３）角度調整部材
また、図１（ａ）〜（ｂ）あるいは図５（ａ）〜（ｂ）に示すように、連結部材１４に角度調整部材１６が設けてあって、第１のホルダー１２ａおよび連結部材１４の中心点１６ａを結ぶ仮想直線１と、第２のホルダー１２ｂおよび連結部材１４の中心点１６ａとを結ぶ仮想直線２と、がなす角度（θ）を可変とすることが好ましい。
この理由は、かかる角度調整部材１６を設けることによって、駆動用モータの大きさや形状等が異なる各種扇風機に対して、冷却キットを容易に適用することができるためである。
但し、図５（ｃ）に示すようなベルト状の連結部材（長尺部材）の場合、中心点１６ａを中心として、容易に折り曲げて、角度調整することができるため、別途の角度調整部材は不要と言える。
【００４９】
ここで、角度調整部材１６の態様としては特に制限されるものではないが、蝶番、ちょうつがい、ヒンジ、クリップ、ピンチコック等の回転支持部材とすることができる。
そして、図５（ａ）に示すように、角度調整部材１６が、一つの回転支持部材を有することによって、角度調整部材１６の構成を簡素化できるとともに、所定角度（θ）の調整が迅速かつ容易となる。
また、図５（ｂ）に示すように、角度調整部材１６が、二つの回転支持部１６ａを有するとともに、その間に、湾曲部１６ｂを設けることによって、角度調整部材１６を、扇風機８０の駆動用モータ８３の上部または周囲に、より密着させて配置することができるとともに、所定角度（θ）を幅広い範囲で調整することが可能となる。
したがって、角度調整部材１６によって、通常、所定角度（θ）を８０〜１７０°の範囲内の値とすることが好ましく、１００〜１６０°の範囲内の値とすることがより好ましく、１２０〜１５０°の範囲内の値とすることがさらに好ましい。
その他、図１（ａ）〜（ｂ）あるいは図２に示すように、角度調整部材１６の一部に、扇状の取手が設けてあることも好ましい。
【００５０】
４．整流板
また、図７（ａ）〜（ｂ）に示すように、第１のホルダー１２ａおよび第２のホルダー１２ｂの周囲に、空気流の整流板５０が設けてあることが好ましい。
ここで、図７（ａ）は、整流板５０が付いた扇風機８０を上方から眺めた平面図であって、図７（ｂ）は、整流板５０が付いた扇風機８０を側方から眺めた側面図である。
すなわち、このように整流板５０を設けることによって、比較的少ない背面側から前面に向かって流れる空気流であっても、それを有効に整流しながら利用して、長時間にわたって安定的に冷風を得ることができるためである。
【００５１】
また、整流板５０の態様としては特に制限されるものではないが、例えば、第１のホルダー１２ａおよび第２のホルダー１２ｂから、それぞれ扇風機８０におけるネット部８２の背面側まで到達する所定形状のフィルム部材であることが好ましい。
より具体的には、整流板５０の構成材料として、ＰＥＴフィルム部材やポリプロピレンフィルム部材であることが好ましい。
【００５２】
また、整流板５０の形状を、図７（ｂ）に示すように、ホルダー１２から扇風機８０に向かって、幅が拡大する三角形状とすることも好ましいし、あるいは、四角形状、楕円形状、円形状、ひし形状、細幅テープ状等とすることも好ましい。
さらに言えば、整流板５０を構成するフィルム部材の厚さについても特に制限されるものではないが、通常、５〜５００μｍの範囲内の値とすることが好ましく、１０〜２５０μｍの範囲内の値とすることがより好ましく、２５〜１００μｍの範囲内の値とすることがさらに好ましい。
【００５３】
なお、内容物である水道水を凍結させた状態の５００ｃｍ3のペットボトルを２本準備し、それを図２に示すように、冷却材として配置し、さらに、図７（ａ）または図７（ｂ）に示すように、整流板５０を設けた状態で扇風機８０を稼動したところ、扇風機８０の前面側と、背面側との温度差が４〜５℃であることを確認した。
すなわち、所定の整流板を設けることによって、背面側から前面側に向かって流れる空気流を有効利用し、より温度の低い冷風を、安定的に得られることが判明した。
【００５４】
５．配置場所
また、冷却キットの配置場所に関し、図２に示すように、連結部材１４を介して、複数のペットボトル２０を左右に振り分けて、扇風機等の駆動用モータ８３の上部または周囲に、配置することが好ましい。
すなわち、扇風機やサーキュレーター等を稼動して、背面側から空気を吸い込む際に、冷却キットの一部である複数のペットボトルに面接触し、安定的に、冷気を生成することができるためである。
しかも、複数のペットボトルは冷却されていることから、その周囲の水蒸気が結露して、水滴が付く場合があるが、複数のペットボトルが背面側に配置してあって、接触する風量が比較的少ないことから、水滴を周囲に巻き散らすこともない。
但し、冷却キットの配置場所としては扇風機等に限らず、ドア、窓、壁、柱、天井、キャビネット等に垂下して配置したり、あるいは、テーブル、棚、床板等の平坦部分に、そのまま配置して、外気あるいは、室内の空気を利用して、所定の冷気とすることもできる。
【００５５】
［第２の実施形態］
第２の実施形態は、図２に例示するように、内容物を収容した状態で冷却させた複数のペットボトル２０を冷却材として用い、それらと接触させて空気流を冷却するための冷却キット１０を備えた扇風機８０であって、扇風機８０が、背面側に、駆動用モータ８３を有しており、冷却キット１０が、複数のペットボトル２０をそれぞれ収容するための第１のホルダー１２ａおよび第２のホルダー１２ｂと、第１のホルダー１２ａおよび第２のホルダー１２ｂを連結する長尺状またはアーチ状の連結部材１４と、を備えており、かつ、連結部材１４を介して、複数のペットボトル２０を左右に振り分けて、駆動用モータ８３に係止することを特徴とする冷却キット１０を備えた扇風機８０である。
【００５６】
すなわち、このように冷却キット１０を備えた扇風機８０を構成することによって、連結部材１４を介して、複数のペットボトル２０を左右に振り分けて、扇風機の駆動用モータ８３の上部または周囲に、容易かつバランス良く配置することができる。
したがって、扇風機８０を稼動して、背面側から空気を吸い込む際に、それが冷却材としての複数のペットボトル２０に面接触し、安定的に、冷気を生成することができる。
また、複数のペットボトル２０の周囲に、水滴が付く場合があるものの、複数のペットボトル２０が、扇風機８０の背面側に配置してあって、接触する風量が比較的少ないことから、水滴を周囲に巻き散らすこともない。
以下、適宜図面を参照しながら、第２の実施形態の冷却キット１０を備えた扇風機８０について、具体的に説明する。
【００５７】
１．冷却キット
第２の実施形態の冷却キット１０を備えた扇風機８０において、第１の実施形態の冷却キット１０をそのまま使用できることから、ここでの再度の説明を省略する。
【００５８】
２．扇風機
扇風機８０の態様としては、特に制限されるものではないが、図８（ａ）〜（ｂ）に示すように、羽根部８１、羽根部８１を覆うネット部８２、羽根部８１を駆動させる駆動モータ８３、羽根部８１を回転駆動および上下方向に移動するための軸部８４、扇風機の固定部８５等から基本的に構成してあることが好ましい。
すなわち、羽根部８１が、背面側に設けてある駆動モータ８３によって回転し、扇風機８０の背面側が取り入れた空気を、前面側から、所定流速の空気流として、送風できる構成の扇風機８０であれば良い。
【００５９】
また、図８（ｂ）に示すように、冷却キット１０の固定補助具８８を備えることも好ましい。
すなわち、駆動モータ８３に対する負荷を減少させるために、扇風機８０の非回転部材である軸部８４に、垂直部材である固定補助具８８の一端を固定するとともに、もう一端８８ｂをフック状とし、それを駆動モータ８３の上方に位置するように配置することが好ましい。
この理由は、このような全体的には、概ねコの字状である垂直部材の固定補助具８８を取り付けて、それに、冷却キット１０を垂下させることによって、冷却キット１０の自重の一部または全部を、固定補助具８８を介して、扇風機８０が負担することができるためである。
よって、扇風機８０の駆動モータ８３を、長時間安定的に回転駆動させることができ、ひいては、所定の冷気を長時間にわたって、安定的に供給することができる。
【００６０】
そして、羽根部を駆動させる駆動モータは、家庭用電源により通電されて駆動されることが好ましいが、図示しないものの、一次電池や二次電池、さらには、太陽電池等の外部電源を備えていることも好ましい。
すなわち、家庭用電源を主としたエアコンディショナーが、停電や節電によって、駆動できない場合があるが、第２の実施形態の冷却キットをエアコンディショナーに代替する冷房装置として使用することができるためである。
よって、羽根部を駆動させる駆動モータが、一次電池や二次電池、さらには、太陽電池等の外部電源によって駆動できれば、停電時等であっても、エアコンディショナーに代替する冷房装置として使用することができるためである。
【産業上の利用可能性】
【００６１】
本発明の冷却キットおよびそのような冷却キットを備えた扇風機によれば、駆動用モータが背面側に設けてある場合であっても、駆動用モータの上部等に、容易かつバランス良く取り付けることができるとともに、水滴をまき散らすことなく、所定の冷風が生成可能になった。
したがって、本発明によれば、扇風機やサーキュレーター等を稼動して、背面側から空気を吸い込むとともに、前面側から送風する際に、所定の冷気を長時間にわたって、安定的に供給することができる。
よって、家庭用電源を主としたエアコンディショナーが、停電や節電等によって、駆動できない場合があったとしても、冷却キット、あるいはそのような冷却キットを備えた扇風機を、エアコンディショナーに代替する冷房装置として使用することが期待される。
その上、複数のペットボトルを収容するホルダーが、所定の連結部材を介して、左右に配置してあることから、安定感やバランス感に優れていることから、そのまま平坦部に配置して、周囲を冷却する冷却材として用いることもできるし、さらには、窓際、壁、柱、天井等に垂下して、吊り下げつつ、回転可能なタイプの冷却材として用いることもできる。
なお、本発明の場合、冷却剤として、所定温度に冷却させた複数のペットボトルのみ用いることを想定して説明してきたが、それ以外の液状、固体状、あるいはゲル状の保冷剤との併用も可能である。
【符号の説明】
【００６２】
１０：冷却キット
１２：ホルダー
１２ａ：第１のホルダー
１２ｂ：第２のホルダー
１４：連結部材
１６：角度調整部材（ちょうつがい）
１６ａ：回転支持部材
１６ｂ：湾曲部
１８：滑り止め部材
２０：ペットボトル（ポリエステル樹脂製飲料用ボトル）
２２：水滴吸収部材
５０：整流板
８０：冷却キットを備えた扇風機
８１：羽根部
８２：ネット部
８３：駆動用モータ
８４：軸部
８５：固定部
【図１】
2013011237.tif 000003
【図２】
2013011237.tif 000004
【図３】
2013011237.tif 000005
【図４】
2013011237.tif 000006
【図５】
2013011237.tif 000007
【図６】
2013011237.tif 000008
【図７】
2013011237.tif 000009
【図８】
2013011237.tif 000010
【図９】
2013011237.tif 000011
【図１０】
2013011237.tif 000012